(57)【要約】【課題】  複数の物理インタフェースを有する場合でも効率的に電話帳の管理が可能な通信装置を提供すること。【解決手段】  通信装置１は、複数の物理インタフェース１２ａ、１２ｂを用いて通信が可能である。制御部１５を動作させる電話帳アプリケーション１５１は、被登録者を示す情報と少なくとも一つの電話番号とを対応付けて記憶することが可能な電話帳データベース１３に記憶された情報と、複数の物理インタフェース１２ａ、１２ｂとを対応付けて管理する。【選択図】  図１
2006019826.tif 000002
【特許請求の範囲】
【請求項１】
複数の通信用物理インタフェースと、
被登録者を示す情報と少なくとも一つの電話番号とを対応付けて記憶する電話帳データ記憶手段と、
前記電話帳データ記憶手段に記憶された情報と、前記複数の物理インタフェースとを対応付けて管理する電話帳管理手段と、
を備える通信装置。
【請求項２】
請求項１記載の通信装置であって、
電話番号に含まれる識別情報と前記物理インタフェースとを対応付けて記憶する識別情報記憶手段を更に備え、前記電話帳管理手段は前記電話帳データ記憶手段に記憶された電話番号を抽出すると共に前記抽出された電話番号と前記識別情報記憶手段を参照して前記抽出された電話番号と前記物理インタフェースを対応付ける通信装置。
【請求項３】
請求項１又は２記載の通信装置であって、
前記電話帳管理手段は、同一の被登録者に前記物理インタフェースが異なる複数の電話番号が対応付けられている場合には異なる項目として表示する通信装置。
【請求項４】
請求項１ないし３のいずれか一項記載の通信装置であって、
前記電話帳管理手段は、通信を行う物理インタフェースとして選択された前記物理インタフェースを利用した通信を行うことができなかったとき、前記選択された通信相手に他の物理インタフェースの登録があるか否かを検索し、前記他の物理インタフェースの登録がある場合にはその物理インタフェースを用いた通信における発信動作を行う通信装置。
【請求項５】
請求項１ないし３のいずれか一項記載の通信装置であって、
前記電話帳管理手段は、通信を行う物理インタフェースとして選択された前記物理インタフェースを利用した通信を行うことができなかったとき、前記選択された通信相手に他の物理インタフェースの登録があるか否かを検索し、前記他の物理インタフェースの登録がある場合にはその物理インタフェースに対応した情報を表示する通信装置。
【請求項６】
請求項１ないし５のいずれか一項記載の通信装置であって、
前記電話帳管理手段は、通信先となる情報が使用された頻度を管理し、同一の被登録者に前記物理インタフェースが異なる複数の電話番号が対応付けられている場合には異なる項目として管理し、使用頻度の多い順に前記項目された表示を行う通信装置。
【発明の詳細な説明】
【技術分野】
【０００１】
本発明は、複数の物理インタフェースを有する通信装置に関する。
【背景技術】
【０００２】
従来、個人の氏名に対応付けて複数の電話番号と各電話番号を判断する情報とを格納し、発呼における利便性が高める携帯電話機があった（例えば、特許文献１参照）。
【０００３】
また、ワイヤレスＬＡＮ（Local Area Network）電話端末装置での電話帳や発信履歴、着信履歴等を一元管理する内部情報共有システムがあった（例えば、特許文献２参照）。
【特許文献１】特開２００１−３５８８２３号公報
【特許文献２】特開２００４−０５６２３５号公報
【発明の開示】
【発明が解決しようとする課題】
【０００４】
ところで、近年、複数の物理インタフェースを有して、複数の通信方式を用いて通信を行うことが可能な携帯電話等の通信装置がある。しかしながら、上記従来の通信装置にあっては、複数の物理インタフェースを有する場合についての電話帳管理に関する検討がなされていなかった。
【０００５】
本発明は、上記従来の事情に鑑みてなされたものであって、複数の物理インタフェースを有する場合でも効率的に電話帳の管理が可能な通信装置を提供することを目的とする。
【課題を解決するための手段】
【０００６】
本発明の通信装置は、複数の通信用物理インタフェースと、被登録者を示す情報と少なくとも一つの電話番号とを対応付けて記憶する電話帳データ記憶手段と、前記電話帳データ記憶手段に記憶された情報と、前記複数の物理インタフェースとを対応付けて管理する電話帳管理手段と、を備える。
【０００７】
この構成により、複数の物理インタフェースに対して電話帳管理を行うので効率的に電話帳の管理を行うことが可能となる。
【０００８】
また、本発明の通信装置は、電話番号に含まれる識別情報と前記物理インタフェースとを対応付けて記憶する識別情報記憶手段を更に備え、前記電話帳管理手段は前記電話帳データ記憶手段に記憶された電話番号を抽出すると共に前記抽出された電話番号と前記識別情報記憶手段を参照して前記抽出された電話番号と前記物理インタフェースを対応付ける。
【０００９】
この構成により、使用者は電話帳の登録時に特にどの物理インタフェースを用いるべきかを指定する必要がないため、電話帳への登録を簡素化することができる。
【００１０】
また、前記電話帳管理手段は、同一の被登録者に前記物理インタフェースが異なる複数の電話番号が対応付けられている場合には異なる項目として表示する。
【００１１】
この構成により、使用者は電話帳の登録状況を分かりやすく認識することができ、どの被登録者にどの物理インタフェースで通信を行うかの選択を容易に行うことができる。
【００１２】
また、前記電話帳管理手段は、通信を行う物理インタフェースとして選択された前記物理インタフェースを利用した通信を行うことができなかったとき、前記選択された通信相手に他の物理インタフェースの登録があるか否かを検索し、前記他の物理インタフェースの登録がある場合にはその物理インタフェースを用いた通信における発信動作を行う。
【００１３】
この構成により、選択された物理インタフェースを利用した通信を行えない場合においても、迅速に通信相手への接続を行うことができる。
【００１４】
また、前記電話帳管理手段は、通信を行う物理インタフェースとして選択された前記物理インタフェースを利用した通信を行うことができなかったとき、前記選択された通信相手に他の物理インタフェースの登録があるか否かを検索し、前記他の物理インタフェースの登録がある場合にはその物理インタフェースに対応した情報を表示する。
【００１５】
この構成により、選択された物理インタフェースを利用した通信を行えない場合においても、使用者は容易にその状況を把握し、その後の処理の判断を行うことができる。
【００１６】
また、前記電話帳管理手段は、通信先となる情報が使用された頻度を管理し、同一の被登録者に前記物理インタフェースが異なる複数の電話番号が対応付けられている場合には異なる項目として管理し、使用頻度の多い順に前記項目された表示を行う。
【００１７】
この構成により、使用者はどの被登録者のどの物理インタフェースで通信を行ったかを分かりやすく認識することができる。
【発明の効果】
【００１８】
本発明によれば、複数の物理インタフェースを有する場合でも効率的に電話帳の管理が可能な通信装置を提供することができる。
【発明を実施するための最良の形態】
【００１９】
図１は、本発明の実施形態を説明するための通信装置を示す概略構成図である。本発明の実施形態の通信装置は、複数の物理通信インタフェース（以下、物理インタフェース）として、二つの物理インタフェースを有し、一方を通常の物理インタフェース、他方を付加機能として追加された物理インタフェースである場合について説明する。
【００２０】
図１に示すように、本実施形態の通信装置１は、第１通信アンテナ１１ａと、第２通信アンテナ１１ｂと、第１物理インタフェース１２ａと、第２物理インタフェース１２ｂと、電話帳データベース１３と、インタフェース識別データベース１４と、制御部１５と、操作部１６と、表示部１７とを備える。
【００２１】
第１物理インタフェース１２ａは、第１通信アンテナ１１ａを介して、第１の通信方式（例えば、セルラ電話方式）で通信を行う。第２物理インタフェース１２ｂは、第２通信アンテナ１１ｂを介して、第２の通信方式（例えば、携帯ＩＰ電話）で通信を行う。
【００２２】
電話帳データベース１３には、被登録者の名前と電話番号とが対応付けられて記憶されている。他に、メールアドレス等を記憶してもよい。そして、この電話帳データベース１３には、同一の被登録者に複数の電話番号を対応付けて記憶することが可能となっている。インタフェース識別データベース１４には、電話番号に含まれる事業者識別コードと、その事業者識別コードに対応する物理インタフェースとが対応付けられて記憶されている。なお、事業者識別コードに限られるものではなく、物理インタフェースを識別する情報であればよい。
【００２３】
制御部１５は、物理インタフェース１２ａ、１２ｂを介した通信処理等の通信装置１全体の動作を制御するもので、電話帳アプリケーション１５１を含む、所定のプログラムによって動作するプロセッサを主体に構成される。電話帳アプリケーション１５１は、登録者や登録番号等で登録情報をソートして表示部１７に表示させる機能を有する。また、発信頻度等の登録情報の使用頻度等も管理し、使用頻度に応じた表示を表示部１７に行わせる機能も有する。
【００２４】
なお、本実施形態では、複数の物理インタフェースに対して、一つの電話帳アプリケーション１５１により管理を行うものである。これにより、複数の物理インタフェースを有する場合でも効率的に電話帳の管理が可能な通信装置を提供することができる。また、物理インタフェースごとに電話帳アプリケーションを設ける必要がなくなるので、電話帳アプリケーションが占めるメモリ容量を削減することができる。
【００２５】
操作部１６は、例えばキー入力部等を含み、使用者により通信装置１の操作を行う。表示部１７は、電話帳の登録情報や通信装置１の機能等の表示を行う。
【００２６】
次に、上述の通信装置における電話帳の表示について説明する。図２は、本発明の実施形態に係る通信装置の電話帳表示処理を示すフローチャートである。
【００２７】
図２に示すように、まず、操作部１６によって、電話帳表示の指示が入力されると、制御部１５は、電話帳データベース１３から、電話帳に登録されている電話番号を抽出し（ステップＳ２０１）、更に、抽出した電話番号から事業者コードを抽出する（ステップＳ２０２）。
【００２８】
そして、制御部１５は、インタフェース識別データベース１４から、抽出された事業者コードに対応する物理インタフェースを検索する（ステップＳ２０３）。この物理インタフェースが付加機能である場合（ステップＳ２０４のＹＥＳ）、付加機能を識別する記号を名前の後に追加して（ステップＳ２０５）、表示部へ名前を表示する（ステップＳ２０６）。
【００２９】
図３は、電話帳表示の一例を示す図である。図３では、登録名順にソートされて表示を行っている場合の例を示している。図３に示すように、同一の登録名に対して複数の物理インタフェースが登録されていた場合には異なる項目として表示する。そして、その項目（登録名）ごとに付加機能を識別する記号［Ｗ］が登録名の後に表示されている。これにより、使用者は電話帳の登録状況を分かりやすく認識することができ、どの被登録者にどの物理インタフェースで通信を行うかの選択を容易に行うことができる。
【００３０】
図４は、電話帳表示の別の例を示す図である。図４では、使用頻度の多い順にソートされた表示を行っている場合の例を示している。この例でも、図３と同様に、同一の登録名に対して複数の物理インタフェースが登録されていた場合には異なる項目として表示する。これにより、使用者はどの被登録者のどの物理インタフェースで通信を行ったかを分かりやすく認識することができる。
【００３１】
なお、上記の例では、付加機能を識別する記号として［Ｗ］を用いているが、物理インタフェースの名称や略称、文字、数字、記号等、識別可能な記号であればよい。
【００３２】
次に、本発明の実施形態の通信装置における発信処理について説明する。図５は、本発明の実施形態に係る通信装置の発信処理を示すフローチャートである。
【００３３】
図５に示すように、通信相手及び物理インタフェースが選択されると（ステップＳ５０１）、制御部１５は選択された通信相手へ、指定された物理インタフェースを用いた通信の発信動作を行う（ステップＳ５０２）。
【００３４】
そして、指定された物理インタフェースを用いた通信が可能であれば（ステップＳ５０３のＹＥＳ）、通信を開始する（ステップＳ５０４）。一方、通信が可能でない場合（ステップＳ５０３のＮＯ）、選択された通信相手で異なる物理インタフェースの電話番号登録があるかどうかを判断する（ステップＳ５０５）。
【００３５】
なお、通信が可能でない場合は、指定された物理インタフェースでの通信そのものができない場合（圏外等）や、通信相手の呼出しができない（ビジートーンが検出された）場合、通信相手が応答しない場合等である。
【００３６】
同一の通信相手で異なる物理インタフェースの登録がある場合（ステップＳ５０５のＹＥＳ）、その異なる物理インタフェースを用いた通信の発信動作を自動的に行う（ステップＳ５０６）。異なる物理インタフェースの登録が複数ある場合には、予め定められた優先順位に従って発信動作を行ってもよいし、複数の登録情報を表示部１７に表示して使用者が選択してもよい。
【００３７】
同一の通信相手で異なる物理インタフェースの電話番号登録がない場合（ステップＳ５０５のＮＯ）、表示部１７や不図示の音声出力部等を用いて通信不可能であることを使用者に報知する（ステップＳ５０７）。
【００３８】
以上の処理により、選択された物理インタフェースを利用した通信を行えない場合においても、迅速に通信相手への接続を行うことができる。
【００３９】
なお、ステップＳ５０６において、異なる物理インタフェースを用いた通信の発信動作を行うかわりに、Ｓ５０１で選択された電話番号での通信が不可能であることと、他の同一通信相手で異なる物理インタフェースがあることを表示部１７に表示することにとどめ、その後の処理を続行するか否かを使用者の判断により決定してもよい。これにより、選択された物理インタフェースを利用した通信を行えない場合においても、使用者は容易にその状況を把握し、その後の処理の判断を行うことができる。
【００４０】
このような本発明の実施形態の通信装置によれば、複数の通信用物理インタフェースを備えた場合にも、一つの電話帳アプリケーションが電話帳データベースに記憶された情報と、複数の物理インタフェースとを対応付けて管理するので、効率的に電話帳の管理を行うことができる。
【産業上の利用可能性】
【００４１】
本発明の通信装置は、複数の物理インタフェースを有する場合でも効率的に電話帳の管理が可能な効果を有し、携帯電話等に有用である。
【図面の簡単な説明】
【００４２】
【図１】本発明の実施形態を説明するための通信装置を示す概略構成図
【図２】本発明の実施形態に係る通信装置の電話帳表示処理を示すフローチャート
【図３】電話帳表示の一例を示す図
【図４】電話帳表示の別の例を示す図
【図５】本発明の実施形態に係る通信装置の発信処理を示すフローチャート
【符号の説明】
【００４３】
１  通信装置
１１ａ、１１ｂ  通信アンテナ
１２ａ、１２ｂ  物理インタフェース
１３  電話帳データベース
１４  インタフェース識別データベース
１５  制御部
１５１  電話帳アプリケーション
１６  操作部
１７  表示部
【図１】
2006019826.tif 000003
【図２】
2006019826.tif 000004
【図３】
2006019826.tif 000005
【図４】
2006019826.tif 000006
【図５】
2006019826.tif 000007